(57)【要約】【課題】同一半導体基板上に複数の回路が構成されている場合でも、キャリアリークなどの他の回路ブロックからの妨害・干渉を受けにくく、出力インピーダンス変動の少ない可変利得増幅器を提供する。【解決手段】可変利得増幅器１２２において、信号増幅用トランジスタ１０１に他の回路ブロックの接続されない専用の接地用パッド１１０を持たせることで、キャリアリークなどの他の妨害・干渉を削減し、さらに出力インピーダンス補正回路１１６の接地端子も上記と同一の接地用パッド１１０に接続することで、更なる妨害・干渉を阻止し、結果としてキャリアリークなどの他の妨害・干渉を受けにくく、出力インピーダンス変動の少ない可変利得増幅器を実現する。【選択図】図１
2007158380.tif 000002
【特許請求の範囲】
【請求項１】
利得制御信号に応じた利得で高周波信号の増幅を行う信号増幅用素子と、
前記利得制御信号に応じて制御されることにより前記信号増幅用素子の出力端子側から見た出力インピーダンスの変動を補正する出力インピーダンス補正回路と、
前記信号増幅用素子の接地端子および前記出力インピーダンス補正回路の接地端子に共通に接続される接地用パッドとを備えた可変利得増幅器。
【請求項２】
利得制御信号に応じた利得で高周波信号の増幅を行う信号増幅用素子と、
前記信号増幅用素子に接続された負荷素子と、
前記利得制御信号に応じて制御されることにより前記信号増幅用素子の出力端子側から見た出力インピーダンスの変動を補正する出力インピーダンス補正回路と、
前記負荷素子の接地端子および前記出力インピーダンス補正回路の接地端子に共通に接続される接地用パッドとを備えた可変利得増幅器。
【請求項３】
同一半導体基板上に前記他の回路ブロックとともに形成されている請求項１または２記載の可変利得増幅器。
【請求項４】
前記出力インピーダンス補正回路が自己の接地端子と出力端子との間の抵抗値を可変する可変抵抗機能を有し、前記出力インピーダンス補正回路の出力端子が前記信号増幅用素子の出力端子に接続され、
前記出力インピーダンス補正回路は、前記利得制御信号が前記信号増幅用素子の利得を大きくする方向に変化した時に前記可変抵抗機能による抵抗値を大きくするように制御され、前記利得制御信号が前記信号増幅用素子の利得を小さくする方向に変化した時に前記可変抵抗機能による抵抗値を小さくするように制御される請求項１または２記載の可変利得増幅器。
【請求項５】
前記出力インピーダンス補正回路における可変抵抗機能がバイポーラトランジスタと抵抗とで構成される請求項４記載の可変利得増幅器。
【請求項６】
前記出力インピーダンス補正回路における可変抵抗機能がバイポーラトランジスタで構成される請求項４記載の可変利得増幅器。
【請求項７】
前記出力インピーダンス補正回路における可変抵抗機能が電界効果トランジスタで構成される請求項４記載の可変利得増幅器。
【請求項８】
利得制御信号に応じた利得で高周波信号の増幅を行う信号増幅用素子と、
前記利得制御信号に応じて制御されることにより前記信号増幅用素子の出力端子側から見た出力インピーダンスの変動を補正する出力インピーダンス補正回路と、
前記信号増幅用素子の電源電圧端子および前記出力インピーダンス補正回路の電源電圧端子に共通に接続される電源電圧印加用パッドとを備えた可変利得増幅器。
【請求項９】
利得制御信号に応じた利得で高周波信号の増幅を行う信号増幅用素子と、
前記信号増幅用素子に接続された負荷素子と、
前記利得制御信号に応じて制御されることにより前記信号増幅用素子の出力端子側から見た出力インピーダンスの変動を補正する出力インピーダンス補正回路と、
前記負荷素子の電源電圧端子および前記出力インピーダンス補正回路の電源電圧端子に共通に接続される電源電圧印加用パッドとを備えた可変利得増幅器。
【請求項１０】
同一半導体基板上に前記他の回路ブロックとともに形成されている請求項８または９記載の可変利得増幅器。
【請求項１１】
前記出力インピーダンス補正回路が自己の電源電圧端子と出力端子との間の抵抗値を可変する可変抵抗機能を有し、前記出力インピーダンス補正回路の出力端子が前記信号増幅用素子の出力端子に接続され、
前記出力インピーダンス補正回路は、前記利得制御信号が前記信号増幅用素子の利得を大きくする方向に変化した時に前記可変抵抗機能による抵抗値を大きくするように制御され、前記利得制御信号が前記信号増幅用素子の利得を小さくする方向に変化した時に前記可変抵抗機能による抵抗値を小さくするように制御される請求項８または９記載の可変利得増幅器。
【請求項１２】
前記出力インピーダンス補正回路における可変抵抗機能がバイポーラトランジスタと抵抗とで構成される請求項１１記載の可変利得増幅器。
【請求項１３】
前記出力インピーダンス補正回路における可変抵抗機能がバイポーラトランジスタで構成される請求項１１記載の可変利得増幅器。
【請求項１４】
前記出力インピーダンス補正回路における可変抵抗機能が電界効果トランジスタで構成される請求項１１記載の可変利得増幅器。
【請求項１５】
少なくとも一つの請求項１、２、８または９記載の可変利得増幅器と少なくとも一つの局部発振器と少なくとも一つの混合器とを備えた無線送信装置と、少なくとも一つの無線受信装置と、前記無線送信装置および前記無線受信装置に接続されて無線周波数の信号を送受信する少なくとも一つのアンテナとを備えた無線回路システム。
【発明の詳細な説明】
【技術分野】
【０００１】
本発明は、可変利得増幅器およびそれを用いた無線回路システムに関するものである。特に、本発明の可変利得増幅器は、各種の無線通信機器において高周波信号の増幅に用いられるものであって、出力特性の向上、及び、キャリアリークなどの他の回路ブロックからの妨害・干渉の軽減等を図ったものである。
【背景技術】
【０００２】
バイポーラトランジスタもしくは電界効果トランジスタ等を用いた半導体集積回路は、近年、通信分野の高周波回路用に開発が進められている。この半導体集積回路ブロックの一つに利得制御の必要な増幅回路がある。
【０００３】
図６は、電界効果トランジスタを用いた従来の可変利得増幅器の構成を示す回路図である。図６に示すように、従来の可変利得増幅器は、入力端子ＩＮから入力された高周波信号が信号増幅用電界効果トランジスタ２０１により増幅されて、出力端子ＯＵＴより出力される。この際、利得制御端子２１１から入力される利得制御信号によって信号増幅用電界効果トランジスタ２０１の利得を制御できる。利得制御端子２１１と信号増幅用電界効果トランジスタ２０１のゲートとの間には、バイアス供給用抵抗２０６が設けられている。
【０００４】
また、この可変利得増幅器は、信号増幅用電界効果トランジスタ２０１の出力端子であるドレインに対して、出力インピーダンス補正回路２１６が追加されている。この出力インピーダンス補正回路２１６は、出力インピーダンス補正用電界効果トランジスタ２０２と抵抗２０３ａ、２０３ｂ、２０３ｃと、コンデンサ２０４ａ、２０４ｂとで構成され、信号増幅用トランジスタ２０１の出力端子（ドレイン）側から見た出力インピーダンスの変動を補正するものである。
【０００５】
上記可変利得増幅器の後段には、フィルタ等の他の回路ブロックが接続されることが多い。その際、高周波においては、信号の反射や損失を小さくするために回路ブロックと回路ブロックとの間では一般にインピーダンス整合が図られる。したがって、可変利得増幅器の出力インピーダンスが利得によらず常に一定であることが望まれる。そのため、従来から利得制御信号より生成された信号で、出力インピーダンス補正用電界効果トランジスタ２０２を同時に制御することで、出力インピーダンス変動を補正し、結果として出力インピーダンス変動が少なくなるような可変利得増幅器が考案されてきた。
【特許文献１】特開平７−２６３９６８号公報
【発明の開示】
【発明が解決しようとする課題】
【０００６】
しかしながら、近年、可変利得増幅器を含んで構成される無線回路システムの規模は拡大の傾向をたどっており、従来は、単独の半導体基板上に構成されていた可変利得増幅器も、局部発振器や混合器等の他の半導体回路（回路ブロック）と同一の半導体基板上に作成されるようになってきた。その結果、局部発振器や分周器、混合器等から妨害波や干渉波が基板や電源電圧線に漏れ出し、基板や電源電圧印加端子等から可変利得増幅器に妨害波や干渉波が混入し、それが可変利得増幅器で増幅され、結果としてキャリアリーク特性などの干渉特性が悪化するという問題が生じていた。
【０００７】
また、出力特性向上のために出力インピーダンス補正回路を追加すると、その出力インピーダンス補正回路を通じて、干渉波・妨害波が混入し、更にキャリアリーク特性が悪化するという問題が生じていた。
【０００８】
したがって、本発明の目的は、キャリアリークなどの他の回路ブロックからの妨害・干渉を受けにくく、出力インピーダンス変動の少ない可変利得増幅器およびそれを用いた無線回路システムを提供することである。
【課題を解決するための手段】
【０００９】
上記課題を解決するために、第１の発明の可変利得増幅器は、利得制御信号に応じた利得で高周波信号の増幅を行う信号増幅用素子と、利得制御信号に応じて制御されることにより信号増幅用素子の出力端子側から見た出力インピーダンスの変動を補正する出力インピーダンス補正回路と、信号増幅用素子の接地端子および出力インピーダンス補正回路の接地端子に共通に接続される接地用パッドとを備えている。
【００１０】
この構成によれば、信号増幅用素子の接地端子および出力インピーダンス補正回路の接地端子を専用の接地用パッドに共通に接続したので、出力インピーダンス補正回路を設けたことによるキャリアリークなどの他の回路ブロックからの妨害・干渉を受けにくく、出力インピーダンス変動を少なくすることができる。
【００１１】
第２の発明の可変利得増幅器は、利得制御信号に応じた利得で高周波信号の増幅を行う信号増幅用素子と、信号増幅用素子に接続された負荷素子と、利得制御信号に応じて制御されることにより信号増幅用素子の出力端子側から見た出力インピーダンスの変動を補正する出力インピーダンス補正回路と、負荷素子の接地端子および出力インピーダンス補正回路の接地端子に共通に接続される接地用パッドとを備えている。
【００１２】
この構成によれば、負荷素子の接地端子および出力インピーダンス補正回路の接地端子を専用の接地用パッドに共通に接続したので、出力インピーダンス補正回路を設けたことによるキャリアリークなどの他の回路ブロックからの妨害・干渉を受けにくく、出力インピーダンス変動を少なくすることができる。
【００１３】
上記可変利得増幅器は、同一半導体基板上に他の回路ブロックとともに形成されることが多い。
【００１４】
また、出力インピーダンス補正回路が自己の接地端子と出力端子との間の抵抗値を可変する可変抵抗機能を有し、出力インピーダンス補正回路の出力端子が信号増幅用素子の出力端子に接続され、出力インピーダンス補正回路は、利得制御信号が信号増幅用素子の利得を大きくする方向に変化した時に可変抵抗機能による抵抗値を大きくするように制御され、利得制御信号が信号増幅用素子の利得を小さくする方向に変化した時に可変抵抗機能による抵抗値を小さくするように制御されることが好ましい。
【００１５】
上記構成において、出力インピーダンス補正回路における可変抵抗機能は、例えば、バイポーラトランジスタと抵抗とで構成されるか、またはバイポーラトランジスタで構成されるか、または電界効果トランジスタで構成されることが好ましい。
【００１６】
第３の発明の可変利得増幅器は、利得制御信号に応じた利得で高周波信号の増幅を行う信号増幅用素子と、利得制御信号に応じて制御されることにより信号増幅用素子の出力端子側から見た出力インピーダンスの変動を補正する出力インピーダンス補正回路と、信号増幅用素子の電源電圧端子および出力インピーダンス補正回路の電源電圧端子に共通に接続される電源電圧印加用パッドとを備えている。
【００１７】
この構成によれば、信号増幅用素子の電源電圧端子および出力インピーダンス補正回路の電源電圧端子を共通に専用の電源電圧印加用パッドに接続したので、出力インピーダンス補正回路を設けたことによるキャリアリークなどの他の回路ブロックからの妨害・干渉を受けにくく、出力インピーダンス変動を少なくすることができる。
【００１８】
第４の発明の可変利得増幅器は、利得制御信号に応じた利得で高周波信号の増幅を行う信号増幅用素子と、信号増幅用素子に接続された負荷素子と、利得制御信号に応じて制御されることにより信号増幅用素子の出力端子側から見た出力インピーダンスの変動を補正する出力インピーダンス補正回路と、負荷素子の電源電圧端子および出力インピーダンス補正回路の電源電圧端子に共通に接続される電源電圧印加用パッドとを備えている。
【００１９】
この構成によれば、負荷素子の電源電圧端子および出力インピーダンス補正回路の電源電圧端子を共通に専用の電源電圧印加用パッドに接続したので、出力インピーダンス補正回路を設けたことによるキャリアリークなどの他の回路ブロックからの妨害・干渉を受けにくく、出力インピーダンス変動を少なくすることができる。
【００２０】
上記可変利得増幅器は、同一半導体基板上に他の回路ブロックとともに形成されることが多い。
【００２１】
また、出力インピーダンス補正回路が自己の電源電圧端子と出力端子との間の抵抗値を可変する可変抵抗機能を有し、出力インピーダンス補正回路の出力端子が信号増幅用素子の出力端子に接続され、出力インピーダンス補正回路は、利得制御信号が信号増幅用素子の利得を大きくする方向に変化した時に可変抵抗機能による抵抗値を大きくするように制御され、利得制御信号が信号増幅用素子の利得を小さくする方向に変化した時に可変抵抗機能による抵抗値を小さくするように制御されることが好ましい。
【００２２】
上記構成において、出力インピーダンス補正回路における可変抵抗機能は、例えば、バイポーラトランジスタと抵抗とで構成されるか、またはバイポーラトランジスタで構成される、または電界効果トランジスタで構成されることが好ましい。
【００２３】
第５の発明の無線回路システムは、少なくとも一つの第１、第２、第３または第４の発明の可変利得増幅器と少なくとも一つの局部発振器と少なくとも一つの混合器とを備えた無線送信装置と、少なくとも一つの無線受信装置と、無線送信装置および無線受信装置に接続されて無線周波数の信号を送受信する少なくとも一つのアンテナとを備えている。
【００２４】
この構成によれば、第１、第２、第３または第４の発明と同様の効果を奏する。
【発明の効果】
【００２５】
本発明の可変利得増幅器および無線回路システムによれば、キャリアリークなどの他の回路ブロックからの妨害・干渉を受けにくくすることができ、また、利得の変化に伴う出力インピーダンスの変化を抑制しつつ更なる妨害・干渉の影響を阻止することができる。結果的に、従来、キャリアリーク特性等の妨害・干渉特性の劣化により困難だった可変利得増幅器の高周波無線回路システムへの内蔵化が可能となった。
【発明を実施するための最良の形態】
【００２６】
（第１の実施形態）
以下、本発明の第１の実施形態に係る集積回路について、図１を参照しながら説明する。本発明では、図１に示すように、例えば、周波数変換を行う混合器１１７、局部発振器１１９、可変利得増幅器１２２等を１チップに搭載した無線回路システム（ブロック）のように、同一の半導体基板上に複数の回路が構成されている回路装置を想定する。
【００２７】
上記回路装置において、局部発振器１１９の出力信号周波数は周波数シンセサイザ（ＰＬＬ回路）１２０により制御されている。局部発振器１１９の出力信号は分周器１１８で分周されることにより局部発振信号Ｌｏが得られる。この局部発振信号Ｌｏと、直交変調信号Ｉ，Ｑ（ベースバンド信号）とは混合器１１７に入力され、混合器１１７からＲＦ周波信号が出力される。なお、混合器１１７の出力端はチョークコイル１２１を介して電源に接続されている。
【００２８】
本発明における可変利得増幅器１２２は、混合器１１７から出力されるＲＦ周波信号を可変利得で増幅するものである。具体的には、可変利得増幅器１２２は、入力端子１１３より入力された高周波信号が信号増幅用トランジスタ（信号増幅用素子）１０１により増幅されて出力端子１１４より出力される。この際、利得制御端子１１１からの利得制御信号によって信号増幅用トランジスタ１０１の利得が制御できる。
【００２９】
また、この可変利得増幅器１２２は、信号増幅用トランジスタ１０１の出力端子であるコレクタに対して、出力インピーダンス補正回路（能動回路）１１６が追加されている。この出力インピーダンス補正回路１１６は、出力インピーダンス補正用トランジスタ１０２と出力インピーダンス補正用抵抗１０３とバイパスコンデンサ１０４とで構成されていて、信号増幅用トランジスタ１０１の出力端子（コレクタ）側から見た出力インピーダンスの変動を補正するものである。
【００３０】
ここで、信号増幅用トランジスタ１０１の接地端子（エミッタ）と出力インピーダンス補正回路１１６の接地端子とが他の回路ブロックの接地端子が接続されない単独の専用の接地用パッド１１０に接続された構成となっている。
【００３１】
なお、上記の接地用パッド１１０には、信号増幅用トランジスタ１０１に対して妨害・干渉を及ぼす他の回路ブロックの接地端子が接続されないようにすればよく、信号増幅用トランジスタ１０１の特性にほとんど影響を与えない一つ以上の他の回路ブロックについては、接地用パッド１１０に接続されていてもよい。
【００３２】
つまり、本明細書中で、専用といっているのは、信号増幅用トランジスタ１０１に対して妨害・干渉を及ぼす他の回路ブロックの接地端子が接地用パッド１１０に接続されないという意味である。信号増幅用トランジスタ１０１の特性にほとんど影響を与えない一つ以上の他の回路ブロックの電源電圧端子が接地用パッド１１０に接続されていてもよい。
【００３３】
以下、具体的に可変利得増幅器１２２の回路接続について説明する。
【００３４】
まず、信号増幅用トランジスタ１０１は、例えば、ＮＰＮ型バイポーラトランジスタが好適である。信号増幅用トランジスタ１０１のエミッタは他の回路ブロックの接地端子が接続されない専用の接地用パッド１１０に接続されている。同ベースはバイアス印加用抵抗１０６を介して利得制御端子１１１に接続され、また、入力結合用コンデンサ１０５を介して可変利得増幅器の入力端子１１３に接続されている。同コレクタは、チョークコイルもしくは抵抗で構成される負荷素子１０７を介して電源電圧印加端子１０９に接続され、また、出力結合用コンデンサ１０８を介して可変利得増幅器の出力端子１１４に接続されている。
【００３５】
また、出力インピーダンス補正用トランジスタ１０２は、例えば、ＮＰＮ型バイポーラトランジスタが好適である。出力インピーダンス補正用トランジスタ１０２のコレクタは出力インピーダンス補正用抵抗１０３とバイパスコンデンサ１０４、もしくは、バイパスコンデンサ１０４のみを介して信号増幅用トランジスタ１０１のコレクタに接続される。同エミッタは、専用の接地用パッド１１０に接続される。同ベース１１２は出力インピーダンス補正用トランジスタ１０２の制御回路１１５に接続される。制御回路１１５は利得制御端子１１１からの利得制御信号により、出力インピーダンス補正用トランジスタ１０２の制御信号を作成する回路である。
【００３６】
上記可変利得増幅器１２２の後段には、フィルタ等の他の回路素子が接続されることが多い。その際、高周波においては、信号の反射や損失を小さくするために回路ブロックと回路ブロックとの間で一般にインピーダンス整合が図られる。インピーダンス整合とは、前段の出力インピーダンスと後段の入力インピーダンスが共役整合となるように、段間にインダクタや容量などの部品を追加してインピーダンスを変換することである。その際、可変利得増幅器の出力インピーダンスが、利得によらず常に一定であることが望まれる。そのため、本発明においては、利得制御端子１１１からの利得制御信号により、出力インピーダンス補正用トランジスタ１０２を同時に制御することで、出力インピーダンス変動を補正し、結果として出力インピーダンス変動の少ない可変利得増幅器を実現する。その動作原理について説明する。
【００３７】
信号増幅用トランジスタ１０１の利得を上げると信号増幅用トランジスタ１０１のコレクタ側から見た出力インピーダンスが低下するが、その際、出力インピーダンス補正用トランジスタ１０２はオフ状態としてコレクタ側から見たインピーダンスを高くし、出力端子１１４からは主に信号増幅用トランジスタ１０１の出力インピーダンスが見えるようにする。また、信号増幅用トランジスタ１０１の利得を下げると信号増幅用トランジスタ１０１のコレクタ側から見た出力インピーダンスが高くなるが、その際は、出力インピーダンス補正用トランジスタ１０２はオン状態としてコレクタ側から見たインピーダンスを低くし、出力端子１１４からは出力インピーダンス補正回路１１６部分のインピーダンスが見えるようにする。
【００３８】
出力インピーダンス補正用抵抗１０３と出力インピーダンス補正用トランジスタ１０２の出力抵抗とを合わせて調整することで、利得の変化に関わらず、出力インピーダンス変動の少ない可変利得増幅器を実現する。
【００３９】
ここで、抵抗値の調整について具体的に説明する。信号増幅用トランジスタ１０１の利得が高い時（信号増幅用トランジスタ１０１のインピーダンスが主に見えている時）と信号増幅用トランジスタ１０１の利得が低い時（出力インピーダンス補正回路１１６のインピーダンスが主に見えている時）とで、信号増幅用トランジスタ１０１のコレクタ側から見た出力インピーダンスの値が同じとなるように、出力インピーダンス補正用抵抗１０３の値を調整する。実動作中は、この出力インピーダンス補正用抵抗１０３の値は固定で、出力インピーダンス補正用トランジスタ１０２の出力抵抗は可変抵抗となっている。
【００４０】
また、出力インピーダンス補正用トランジスタ１０２としてＮＰＮ型バイポーラトランジスタを用いたことによって、オン・オフ状態のみならず、利得の変化に伴って、線形的にインピーダンスを変化させることができ、常に信号増幅用トランジスタ１０１のインピーダンス変動を補正可能である。
【００４１】
一方、同一半導体基板上に複数の回路ブロックが構成されており、複数の接地端子を持っているような回路においては、キャリアリークなどの干渉波・妨害波の回りこみが非常に問題となっている。特に増幅器においては、混入された干渉波や妨害波を増幅するため、注意が必要である。干渉波や妨害波は、例えば図１においては、周波数シンセサイザ１２０や局部発振器１１９、分周器１１８、混合器１１７、チョークコイル１２１等から基板や電源電圧印加端子に漏れ出し、可変利得増幅器１２２の基板や電源電圧印加端子等から増幅器の増幅信号に混入される信号のことである。
【００４２】
そこで、本発明における可変利得増幅器１２２では、信号増幅用トランジスタ１０１専用の接地用パッド１１０を設けることで他の回路ブロックからの妨害・干渉を軽減する。
【００４３】
さらに、本発明においては、このような専用の接地用パッド１１０をもつ可変利得増幅器において上記のような出力インピーダンス補正を行う場合についても言及する。
【００４４】
出力インピーダンス補正回路１１６の接地端子を信号増幅用トランジスタ１０１の接地端子とは別の箇所に接続すると、それぞれから混入された干渉波・妨害波が各トランジスタ１０１，１０２を通過して出力端子１１４で足し合わされ、結果として、出力インピーダンス補正回路１１６を接続したことによって、キャリアリーク特性等の干渉特性が悪化する。
【００４５】
そこで本発明においては、出力インピーダンス補正回路１１６の接地端子も信号増幅用トランジスタ１０１と同一の接地用パッド１１０に接続し、エミッタを共有化する。その結果、接地端子から混入された干渉波・妨害波が信号増幅用トランジスタ１０１側と出力インピーダンス補正回路１１６側の２つの経路に別れて通過し、再度出力端子１１４で足し合わされることになり、結果として、出力インピーダンス補正回路１１６を追加したことによるキャリアリーク特性などの妨害・干渉特性の悪化は生じない。
【００４６】
なお、上述した構成においては、信号増幅用トランジスタ１０１および出力インピーダンス補正用トランジスタ１０２は、それぞれバイポーラトランジスタであったが、それぞれＭＯＳ電界効果トランジスタ等の所望のトランジスタを用いてよいものである。図１の回路構成では、信号増幅用トランジスタ１０１および出力インピーダンス補正用トランジスタ１０２としては、それぞれＮチャネルＭＯＳトランジスタを使用することができる。
【００４７】
また、いずれもトランジスタが一個の構成であったが、それぞれ所望に応じてトランジスタを複数個直列接続した構成、もしくは、それぞれのトランジスタに抵抗やインダクタンス等のパッシブ素子を直列接続した構成としても良いものである。
【００４８】
以上説明したように、この実施の形態によれば、キャリアリークなどの他の回路ブロックからの妨害・干渉を受けにくくすることができ、また、利得の変化に伴う出力インピーダンスの変化を抑制しつつ更なる妨害・干渉の影響を阻止することができる。
【００４９】
また、信号増幅用トランジスタ１０１の利得制御信号が信号増幅用トランジスタ１０１の利得を大きくする方向に変化した時、すなわち、信号増幅用トランジスタ１０１のコレクタから見た出力抵抗が小さくなる方向に変化した時に、利得制御信号によって出力インピーダンス補正用トランジスタ１０２を遮断方向に制御することで、可変抵抗機能による抵抗値を大きくするように制御し、逆に信号増幅用トランジスタ１０１の利得を小さくする方向に変化した時、すなわちコレクタから見た出力インピーダンスを大きくする方向に変化した時には、可変抵抗機能による抵抗値を小さくするように制御することで、利得の変化に伴う出力インピーダンスの変化を抑制することができる。
【００５０】
また、信号増幅用トランジスタ１０１が他の回路ブロックの接続されない単独の専用の接地用パッド１１０を持つことで、他の回路ブロックからのキャリアリークなどの妨害・干渉を受けにくくすることができ、新たに追加した可変抵抗機能を持つ出力インピーダンス補正用トランジスタ１０２を上記の単独の専用の接地用パッド１１０に接続することで、さらなる妨害・干渉を阻止することができる。
【００５１】
また、利得制御信号によって制御される出力インピーダンス補正回路１１６を可変抵抗機能をもつ出力インピーダンス補正用トランジスタ１０２や出力インピーダンス補正用トランジスタ１０２と抵抗１０３とで実現することで、同一半導体基板上に出力インピーダンス補正回路１１６も作成することが可能となる。結果的に、従来、キャリアリーク特性等の妨害・干渉特性の劣化により困難だった可変利得増幅器の高周波無線回路装置への内蔵化が可能となった。
【００５２】
なお、電源電圧印加端子１０９および負荷素子１０７は、集積回路の外部に設けられていてもよい。つまり、負荷素子１０７は、可変利得増幅器１２２を構成する集積回路（負荷素子を除く）に対して、外付け部品として接続される構成でもよい。
【００５３】
（第２の実施形態）
以下、本発明の第２の実施形態に係る集積回路について、図２を参照しながら説明する。図２と図１の可変利得増幅器１２２ｂ、１２２の相違点は、ＮＰＮ型の信号増幅用トランジスタ１０１（図１）からＰＮＰ型の信号増幅用トランジスタ１０１ｂ（図２）に変更されたことと、信号増幅用トランジスタ１０１ｂと負荷素子１０７の接続順が逆になったことである。さらに言えば、出力インピーダンス補正回路１１６を信号増幅用トランジスタ１０１ｂに並列接続するか（図１）、負荷素子１０７に並列接続するかが異なる（図２）。
【００５４】
本発明における可変利得増幅器１２２ｂは、混合器１１７から出力されるＲＦ周波信号を可変利得で増幅するものである。具体的には、可変利得増幅器１２２ｂは、入力端子１１３より入力された高周波信号が信号増幅用トランジスタ（信号増幅用素子）１０１ｂにより増幅されて出力端子１１４より出力される。この際、利得制御端子１１１からの利得制御信号によって信号増幅用トランジスタ１０１ｂの利得が制御できる。
【００５５】
また、この可変利得増幅器１２２ｂは、信号増幅用トランジスタ１０１ｂの出力端子であるコレクタに対して、出力インピーダンス補正回路（能動回路）１１６が追加されている。この出力インピーダンス補正回路１１６は、出力インピーダンス補正用トランジスタ１０２と出力インピーダンス補正用抵抗１０３とバイパスコンデンサ１０４とで構成されていて、信号増幅用トランジスタ１０１ｂの出力端子（コレクタ）側から見た出力インピーダンスの変動を補正するものである。
【００５６】
ここで、信号増幅用トランジスタ１０１ｂの負荷素子１０７の接地端子と出力インピーダンス補正回路１１６の接地端子とが他の回路ブロックの接地端子が接続されない単独の専用の接地用パッド１１０に接続された構成となっている。
【００５７】
なお、上記の接地用パッド１１０には、信号増幅用トランジスタ１０１ｂに対して妨害・干渉を及ぼす他の回路ブロックの接地端子が接続されないようにすればよく、信号増幅用トランジスタ１０１ｂの特性にほとんど影響を与えない一つ以上の他の回路ブロックについては、接地用パッド１１０に接続されていてもよい。
【００５８】
つまり、本明細書中で、専用といっているのは、信号増幅用トランジスタ１０１ｂに対して妨害・干渉を及ぼす他の回路ブロックの接地端子が接地用パッド１１０に接続されないという意味である。信号増幅用トランジスタ１０１ｂの特性にほとんど影響を与えない一つ以上の他の回路ブロックの接地端子が接地用パッド１１０に接続されていてもよい。
【００５９】
以下、具体的に可変利得増幅器１２２ｂの回路接続について説明する。
【００６０】
まず、信号増幅用トランジスタ１０１ｂは、例えば、ＰＮＰ型バイポーラトランジスタが好適である。信号増幅用トランジスタ１０１ｂのエミッタは電源電圧印加端子１０９に接続されている。同ベースはバイアス印加用抵抗１０６を介して利得制御端子１１１に接続され、また、入力結合用コンデンサ１０５を介して可変利得増幅器の入力端子１１３に接続されている。同コレクタは、チョークコイルもしくは抵抗で構成される負荷素子１０７を介して専用の接地用パッド１１０に接続され、また、出力結合用コンデンサ１０８を介して可変利得増幅器の出力端子１１４に接続されている。
【００６１】
また、出力インピーダンス補正用トランジスタ１０２は、例えば、ＮＰＮ型バイポーラトランジスタが好適である。出力インピーダンス補正用トランジスタ１０２のコレクタは出力インピーダンス補正用抵抗１０３とバイパスコンデンサ１０４、もしくは、バイパスコンデンサ１０４のみを介して信号増幅用トランジスタ１０１ｂのコレクタに接続される。同エミッタは、専用の接地用パッド１１０に接続される。同ベース１１２は出力インピーダンス補正用トランジスタ１０２の制御回路１１５に接続される。制御回路１１５は利得制御端子１１１からの利得制御信号により、出力インピーダンス補正用トランジスタ１０２の制御信号を作成する回路である。
【００６２】
なお、上述した構成においては、信号増幅用トランジスタ１０１ｂおよび出力インピーダンス補正用トランジスタ１０２は、それぞれバイポーラトランジスタであったが、それぞれＭＯＳ電界効果トランジスタ等の所望のトランジスタを用いてよいものである。図２の回路構成では、信号増幅用トランジスタ１０１ｂとしてはＰチャネルＭＯＳトランジスタを、出力インピーダンス補正用トランジスタ１０２としてはＮチャネルＭＯＳトランジスタを使用することができる。
【００６３】
また、いずれもトランジスタが一個の構成であったが、それぞれ所望に応じてトランジスタを複数個直列接続した構成、もしくは、それぞれのトランジスタに抵抗やインダクタンス等のパッシブ素子を直列接続した構成としても良いものである。
【００６４】
その他の構成および作用効果は第１の実施形態と同様である。
【００６５】
（第３の実施形態）
以下、本発明の第３の実施形態に係る集積回路について、図３を参照しながら説明する。図３と図１の可変利得増幅器の相違点は、出力インピーダンス補正回路１１６を信号増幅用トランジスタ１０１のコレクタと接地端子間に接続するか(図１)と、出力インピーダンス補正回路（能動回路）３１６を信号増幅用トランジスタ１０１のコレクタと電源電圧印加端子３０９間に接続するか(図３)、である。さらに言えば、出力インピーダンス補正回路１１６を信号増幅用トランジスタ１０１に並列接続するか（図１）、負荷素子１０７に並列接続するかが異なる（図３）。
【００６６】
本発明は、図３に示すように、例えば、周波数変換を行う混合器１１７、局部発振器１１９、可変利得増幅器３２２等を１チップに搭載した無線回路システム（ブロックのように、同一の半導体基板上に複数の回路が構成されている回路装置を想定する。
【００６７】
上記回路装置において、局部発振器１１９の出力信号周波数は周波数シンセサイザ（ＰＬＬ回路）１２０により制御されている。局部発振器１１９の出力信号は分周器１１８で分周されることにより局部発振信号Ｌｏが得られる。この局部発振信号Ｌｏと、直交変調信号Ｉ，Ｑ（ベースバンド信号）とは混合器１１７に入力され、混合器１１７からＲＦ周波信号が出力される。なお、混合器１１７の出力端はチョークコイル１２１を介して電源に接続されている。この点は図１と同様である。
【００６８】
本発明における可変利得増幅器３２２は、混合器１１７から出力されるＲＦ周波信号を可変利得で増幅するものである。具体的には、可変利得増幅器３２２は、入力端子１１３より入力された高周波信号が信号増幅用トランジスタ１０１により増幅されて出力端子１１４より出力される。この際、利得制御端子１１１からの利得制御信号によって信号増幅用トランジスタ１０１の利得が制御できる。
【００６９】
また、この可変利得増幅器３２２は、信号増幅用トランジスタ１０１の出力端子であるコレクタに対して、出力インピーダンス補正回路３１６が追加されている。この出力インピーダンス補正回路３１６は、出力インピーダンス補正用トランジスタ３０２と出力インピーダンス補正用抵抗１０３とバイパスコンデンサ１０４とで構成されていて、信号増幅用トランジスタ１０１の出力端子（コレクタ）側から見た出力インピーダンスの変動を補正するものである。
【００７０】
ここで、チョークコイルもしくは抵抗で構成される信号増幅用トランジスタ１０１の負荷素子１０７の電源電圧端子と出力インピーダンス補正回路３１６の電源電圧端子とが他の回路ブロックの電源電圧端子が接続されない単独の専用の電源電圧印加用パッド３０９に接続された構成となっている。
【００７１】
なお、上記の電源電圧印加用パッド３０９には、信号増幅用トランジスタ１０１に対して妨害・干渉を及ぼす他の回路ブロックの接地端子が接続されないようにすればよく、信号増幅用トランジスタ１０１の特性にほとんど影響を与えない一つ以上の他の回路ブロックについては、電源電圧印加用パッド３０９に接続されていてもよい。
【００７２】
つまり、本明細書中で、専用といっているのは、信号増幅用トランジスタ１０１に対して妨害・干渉を及ぼす他の回路ブロックの電源電圧端子が電源電圧印加用パッド３０９に接続されないという意味である。信号増幅用トランジスタ１０１の特性にほとんど影響を与えない一つ以上の他の回路ブロックの電源電圧端子が電源電圧印加用パッド３０９に接続されていてもよい。
【００７３】
図１との相違点に着目して、以下、具体的に可変利得増幅器３２２の回路接続について説明する。
【００７４】
信号増幅用トランジスタ１０１のエミッタは接地端子３１０に接続されるが、第３の実施形態においては、他の回路ブロックの接地端子が接続されない専用接地用パッドに限定されない。
【００７５】
また、出力インピーダンス補正用トランジスタ３０２は、例えば、ＰＮＰ型バイポーラトランジスタが好適である。出力インピーダンス補正用トランジスタ３０２のコレクタは出力インピーダンス補正用抵抗１０３とバイパスコンデンサ１０４、もしくは、バイパスコンデンサ１０４のみを介して信号増幅用トランジスタ１０１のコレクタに接続される。同エミッタは、専用の電源電圧印加用パッド３０９に接続される。同ベース１１２は出力インピーダンス補正用トランジスタ３０２の制御回路１１５に接続される。
【００７６】
本発明においては、利得制御端子１１１からの利得制御信号により、出力インピーダンス補正用トランジスタ３０２を同時に制御することで、出力インピーダンス変動を補正し、結果として出力インピーダンス変動の少ない可変利得増幅器を実現する。その動作原理について説明する。
【００７７】
信号増幅用トランジスタ１０１の利得を上げると信号増幅用トランジスタ１０１のコレクタ側から見た出力インピーダンスが低下するが、その際、出力インピーダンス補正用トランジスタ３０２はオフ状態としてコレクタ側から見たインピーダンスを高くし、出力端子１１４からは主に信号増幅用トランジスタ１０１の出力インピーダンスが見えるようにする。また、信号増幅用トランジスタ１０１の利得を下げると信号増幅用トランジスタ１０１のコレクタ側から見た出力インピーダンスが高くなるが、その際は、出力インピーダンス補正用トランジスタ３０２はオン状態としてコレクタ側から見たインピーダンスを低くし、出力端子１１４からは出力補正回路３１６部分のインピーダンスが見えるようにする。
【００７８】
出力インピーダンス補正用抵抗１０３と出力インピーダンス補正用トランジスタ３０２の出力抵抗とを合わせて調整することで、利得の変化に関わらず、出力インピーダンス変動の少ない可変利得増幅器を実現する。
【００７９】
ここで、抵抗値の調整について具体的に説明する。信号増幅用トランジスタ１０１の利得が高い時（信号増幅用トランジスタ１０１のインピーダンスが主に見えている時）と信号増幅用トランジスタ１０１の利得が低い時（出力インピーダンス補正回路３１６のインピーダンスが主に見えている時）とで、信号増幅用トランジスタ１０１のコレクタ側から見た出力インピーダンスの値が同じとなるように、出力インピーダンス補正用抵抗１０３の値を調整する。実動作中は、この出力インピーダンス補正用抵抗１０３の値は固定で、出力インピーダンス補正用トランジスタ３０２の出力抵抗は可変抵抗となっている。
【００８０】
また、出力インピーダンス補正用トランジスタ３０２としてＰＮＰ型バイポーラトランジスタを用いたことによって、オン・オフ状態のみならず、利得の変化に伴って、線形的にインピーダンスを変化させることができ、常に信号増幅用トランジスタ１０１のインピーダンス変動を補正可能である。
【００８１】
本発明における可変利得増幅器３２２では、信号増幅用トランジスタ１０１の負荷素子１０７専用の電源電圧印加用パッド３０９を設けることで他の回路ブロックからの妨害・干渉を軽減する。
【００８２】
さらに、本発明においては、出力インピーダンス補正回路３１６の電源電圧印加端子も信号増幅用トランジスタ１０１の負荷素子１０７と同一の電源電圧印加用パッド３０９に接続する。その結果、電源電圧印加用パッド３０９から混入された干渉波・妨害波が負荷素子１０７側と出力インピーダンス補正回路３１６側の２つの経路に別れて通過し、再度出力端子１１４で足し合わされることになり、結果として、出力インピーダンス補正回路３１６を追加したことによるキャリアリーク特性などの妨害・干渉特性の悪化は生じない。
【００８３】
なお、上述した構成においては、信号増幅用トランジスタ１０１、出力インピーダンス補正用トランジスタ３０２は、バイポーラトランジスタであったが、それぞれＭＯＳ電界効果トランジスタ等の所望のトランジスタを用いてよいものである。図３の回路構成では、信号増幅用トランジスタ１０１としてはＮチャネルＭＯＳトランジスタを、出力インピーダンス補正用トランジスタ１０２としてはＰチャネルＭＯＳトランジスタを使用することができる。
【００８４】
また、いずれもトランジスタが一個であったが、それぞれ所望に応じてトランジスタを複数個直列接続した構成、もしくは、それぞれのトランジスタに抵抗やインダクタンス等のパッシブ素子を直列接続した構成としても良いものである。
【００８５】
以上説明したように、この実施の形態によれば、キャリアリークなどの他の回路ブロックからの妨害・干渉を受けにくくすることができ、また、利得の変化に伴う出力インピーダンスの変化を抑制しつつ更なる妨害・干渉の影響を阻止することができる。
【００８６】
また、信号増幅用トランジスタ１０１の利得制御信号が信号増幅用トランジスタ１０１の利得を大きくする方向に変化した時、すなわち、信号増幅用トランジスタ１０１のコレクタから見た出力抵抗が小さくなる方向に変化した時に、利得制御信号によって出力インピーダンス補正用トランジスタ１０２を遮断方向に制御することで、可変抵抗機能による抵抗値を大きくするように制御し、逆に信号増幅用トランジスタ１０１の利得を小さくする方向に変化した時、すなわちコレクタから見た出力インピーダンスを大きくする方向に変化した時には、可変抵抗機能による抵抗値を小さくするように制御することで、利得の変化に伴う出力インピーダンスの変化を抑制することができる。
【００８７】
また、負荷素子１０７が他の回路ブロックの接続されない単独の専用の電源電圧印加用パッド３０９を持つことで、他の回路ブロックからのキャリアリークなどの妨害・干渉を受けにくくすることができ、新たに追加した可変抵抗機能を持つ出力インピーダンス補正用トランジスタ３０２を上記の単独の電源電圧印加用パッド３０９に接続することで、さらなる妨害・干渉を阻止することができる。
【００８８】
また、利得制御信号によって制御される出力インピーダンス補正回路３１６を可変抵抗機能をもつ出力インピーダンス補正用トランジスタ１０２や出力インピーダンス補正用トランジスタ１０２と抵抗１０３とで実現することで、同一半導体基板上に出力インピーダンス補正回路３１６も作成することが可能となる。結果的に、従来、キャリアリーク特性等の妨害・干渉特性の劣化により困難だった可変利得増幅器の高周波無線回路装置への内蔵化が可能となった。
【００８９】
（第４の実施形態）
以下、本発明の第４の実施形態に係る集積回路について、図４を参照しながら説明する。図４と図３の可変利得増幅器３２２ｂ、３２２の相違点は、ＮＰＮ型の信号増幅用トランジスタ１０１（図３）からＰＮＰ型の信号増幅用トランジスタ１０１ｂ（図４）に変更されたことと、信号増幅用トランジスタ１０１ｂと負荷素子１０７の接続順が逆になったことである。さらに言えば、出力インピーダンス補正回路１１６を負荷素子１０７に並列接続するか（図３）、信号増幅用トランジスタ１０１ｂに並列接続するか（図４）かが異なる。
【００９０】
本発明における可変利得増幅器３２２ｂは、混合器１１７から出力されるＲＦ周波信号を可変利得で増幅するものである。具体的には、可変利得増幅器３２２ｂは、入力端子１１３より入力された高周波信号が信号増幅用トランジスタ１０１ｂにより増幅されて出力端子１１４より出力される。この際、利得制御端子１１１からの利得制御信号によって信号増幅用トランジスタ１０１ｂの利得が制御できる。
【００９１】
また、この可変利得増幅器３２２ｂは、信号増幅用トランジスタ１０１ｂの出力端子であるコレクタに対して、出力インピーダンス補正回路３１６が追加されている。この出力インピーダンス補正回路３１６は、出力インピーダンス補正用トランジスタ３０２と出力インピーダンス補正用抵抗１０３とバイパスコンデンサ１０４とで構成されていて、信号増幅用トランジスタ１０１ｂの出力端子（コレクタ）側から見た出力インピーダンスの変動を補正するものである。
【００９２】
ここで、信号増幅用トランジスタ１０１ｂのエミッタ端子と出力インピーダンス補正回路３１６の電源電圧印加端子とが他の回路ブロックの電源電圧端子が接続されない単独の専用の電源電圧印加用パッド３０９に接続された構成となっている。
【００９３】
なお、上記の電源電圧印加用パッド３０９には、信号増幅用トランジスタ１０１ｂに対して妨害・干渉を及ぼす他の回路ブロックの電源電圧端子が接続されないようにすればよく、信号増幅用トランジスタ１０１ｂの特性にほとんど影響を与えない一つ以上の他の回路ブロックについては、電源電圧印加用パッド３０９に接続されていてもよい。
【００９４】
つまり、本明細書中で、専用といっているのは、信号増幅用トランジスタ１０１ｂに対して妨害・干渉を及ぼす他の回路ブロックの電源電圧端子が電源電圧印加用パッド３０９に接続されないという意味である。信号増幅用トランジスタ１０１ｂの特性にほとんど影響を与えない一つ以上の他の回路ブロックの電源電圧端子が電源電圧印加用パッド３０９に接続されていてもよい。
【００９５】
以下、具体的に可変利得増幅器３２２ｂの回路接続について説明する。
【００９６】
まず、信号増幅用トランジスタ１０１ｂは、例えば、ＰＮＰ型バイポーラトランジスタが好適である。信号増幅用トランジスタ１０１ｂのエミッタは他の回路ブロックの電源電圧印加端子が接続されない専用の電源電圧印加用パッド３０９に接続されている。同ベースはバイアス印加用抵抗１０６を介して利得制御端子１１１に接続され、また、入力結合用コンデンサ１０５を介して可変利得増幅器の入力端子１１３に接続されている。同コレクタは、チョークコイルもしくは抵抗で構成される負荷素子１０７を介して接地端子３１０に接続され、また、出力結合用コンデンサ１０８を介して可変利得増幅器の出力端子１１４に接続されている。
【００９７】
また、出力インピーダンス補正用トランジスタ３０２は、例えば、ＰＮＰ型バイポーラトランジスタが好適である。出力インピーダンス補正用トランジスタ３０２のコレクタは出力インピーダンス補正用抵抗１０３とバイパスコンデンサ１０４、もしくは、バイパスコンデンサ１０４のみを介して信号増幅用トランジスタ１０１ｂのコレクタに接続される。同エミッタは、専用の電源電圧印加用パッド３０９に接続される。同ベース１１２は出力インピーダンス補正用トランジスタ３０２の制御回路１１５に接続される。
【００９８】
なお、上述した構成においては、信号増幅用トランジスタ１０１ｂ、出力インピーダンス補正用トランジスタ３０２は、バイポーラトランジスタであったが、それぞれＭＯＳ電界効果トランジスタ等の所望のトランジスタを用いてよいものである。図４の回路構成では、信号増幅用トランジスタ１０１ｂおよび出力インピーダンス補正用トランジスタ１０２としては、それぞれＰチャネルＭＯＳトランジスタを使用することができる。
【００９９】
また、いずれもトランジスタが一個であったが、それぞれ所望に応じてトランジスタを複数個直列接続した構成、もしくは、それぞれのトランジスタに抵抗やインダクタンス等のパッシブ素子を直列接続した構成としても良いものである。
【０１００】
その他の構成および作用効果は第１の実施形態と同様である。
【０１０１】
なお、接地端子３１０および負荷素子１０７は、集積回路の外部に設けられていてもよい。つまり、負荷素子１０７は、可変利得増幅器３２２ｂを構成する集積回路（負荷素子を除く）に対して、外付け部品として接続される構成でもよい。
【０１０２】
（第５の実施形態）
以下、本発明の第５の実施形態に係る集積回路について、図５を参照しながら説明する。
【０１０３】
図５は、図１の可変利得増幅器１２２、図２の可変利得増幅器１２２ｂ、図３の可変利得増幅器３２２、もしくは図４の可変利得増幅器３２２ｂを用いた高周波無線回路システム（装置）の一例を示すブロック図である。回路構成、動作原理について説明する。
【０１０４】
この高周波無線回路システムは、図５に示すように、周波数シンセサイザ４０４ａで制御された局部発振器４０３ａの局部発振信号４１２とベースバンド信号４１１をローパスフィルタ４０８ａに通した信号とを混合器４０２で掛け合わせ、得られた信号を可変利得増幅器４０１で増幅し、バンドパスフィルタ４０８ｃを通した後、高周波増幅器４０６で更に増幅し、アンテナ４０７から送信する。
【０１０５】
また、アンテナ４０７で受信された信号を、低雑音増幅器４１０で増幅し、周波数シンセサイザ４０４ｂで制御された局部発振器４０３ｂの局部発振信号４１３と混合器４０５で掛け合わせた後、増幅器４０９、ローパスフィルタ４０８ｂを通すことにより、ベースバンド信号４１４を生成する。
【０１０６】
上記の可変利得増幅器４０１は、図１に示す可変利得増幅器１２２、図２の可変利得増幅器１２２ｂ、図３の可変利得増幅器３２２、もしくは図４の可変利得増幅器３２２ｂで構成されている。
【０１０７】
図５の高周波無線回路システムの可変利得増幅器４０１に本発明を適用することで、同一半導体基板上にシステムを構築した場合においても、キャリアリーク特性などの干渉・妨害特性に優れ、また利得の変化に関わらず、回路ブロックと回路ブロックとの整合に問題がなく通過特性の良好なシステムが得られる。
【０１０８】
なお、構成例においては上記にとどまらず、少なくとも一つの可変利得増幅器と少なくとも一つの局部発振器と少なくとも一つの混合器とを備えた無線送信装置と、少なくとも一つの無線受信装置と、無線送信装置および無線受信装置に接続されて少なくとも一つの無線周波数の信号を送受信することの可能なアンテナを備えた無線回路システムならばよい。
【０１０９】
この実施の形態によれば、上記実施の形態と同様の効果が得られる。
【産業上の利用可能性】
【０１１０】
本発明は、各種の無線通信機器において高周波信号の増幅に用いるのに有用である。
【図面の簡単な説明】
【０１１１】
【図１】本発明の第１の実施の形態における可変利得増幅器の一回路構成ならびに他の高周波回路ブロックの一例を回路図である。
【図２】本発明の第２の実施の形態における可変利得増幅器の一回路構成ならびに他の高周波回路ブロックの一例を回路図である。
【図３】本発明の第３の実施の形態における可変利得増幅器の一回路構成ならびに他の高周波回路ブロックの一例を示す回路図である。
【図４】本発明の第４の実施の形態における可変利得増幅器の一回路構成ならびに他の高周波回路ブロックの一例を示す回路図である。
【図５】本発明の第５の実施の形態の無線回路システムの一例を示すブロック図である。
【図６】出力インピーダンス補正回路を用いた可変利得増幅器の従来例を示す回路図である。
【符号の説明】
【０１１２】
１０１，１０１ｂ  信号増幅用トランジスタ
１０２  出力インピーダンス補正用トランジスタ
１０３  出力インピーダンス補正用抵抗
１０４  バイパスコンデンサ
１０５  入力結合用コンデンサ
１０６  バイアス印加用抵抗
１０７  負荷素子（チョークコイルもしくは抵抗）
１０８  出力結合用コンデンサ
１０９  電源電圧印加端子
１１０  接地用パッド
１１１  利得制御端子
１１２  出力インピーダンス補正用トランジスタのベース（制御端子）
１１３  可変利得増幅器の入力端子
１１４  可変利得増幅器の出力端子
１１５  制御回路
１１６  出力インピーダンス補正回路
１１７  混合器(ミキサ)
１１８  分周器
１１９  局部発振器(ＶＣＯ)
１２０  周波数シンセサイザ(ＰＬＬ)
１２１  チョークコイル
１２２，１２２ｂ  可変利得増幅器
２０１  信号増幅用電界効果トランジスタ
２０２  出力インピーダンス補正用電界効果トランジスタ
２０３ａ，２０３ｂ，２０３ｃ  抵抗
２０４ａ，２０４ｂ  コンデンサ
２０６  バイアス供給用抵抗
２１１  利得制御端子
２１６  出力インピーダンス補正回路
３０２  出力インピーダンス補正用トランジスタ
３０９  電源電圧印加用パッド
３１０  接地端子
３１６  出力インピーダンス補正回路
３２２，３２２ｂ  可変利得増幅器
４０１  可変利得増幅器
４０２，４０５  混合器(ミキサ)
４０３ａ，４０３ｂ  局部発振器(ＶＣＯ)
４０４ａ，４０４ｂ  周波数シンセサイザ(ＰＬＬ)
４０６  高周波増幅器(ＰＡ)
４０７  アンテナ
４０８ａ，４０８ｂ，４０８ｃ  フィルタ
４０９  増幅器
４１０  低雑音増幅器
４１１，４１４  ベースバンド信号
４１２，４１３  局部発振信号
【図１】
2007158380.tif 000003
【図２】
2007158380.tif 000004
【図３】
2007158380.tif 000005
【図４】
2007158380.tif 000006
【図５】
2007158380.tif 000007
【図６】
2007158380.tif 000008